(57)【特許請求の範囲】
【請求項１】
洗浄水が供給され、便器内に突出して先端部から洗浄水を人体局部に向かって噴射するノズルと、前記ノズルと異なる方向を動く可動軸と、を備える温水洗浄便座装置であって、
前記ノズルは、
前記ノズルの外面を形成する筒状のノズルホルダと、
前記ノズルホルダの内側に設けられ、洗浄水の水圧を受けて前記ノズルホルダから突出するノズル本体と、
前記ノズル本体を前記ノズルホルダ内に収納する方向に付勢する付勢部材と、
前記ノズル本体に設けられた第１の磁性体と、
を有し、
前記可動軸は、前記第１の磁性体に対向する第２の磁性体を有し、
前記第１の磁性体及び前記第２の磁性体は、少なくともいずれか一方が磁石であり、前記ノズル本体に近づくことで磁力により、前記第１の磁性体と前記第２の磁性体とが非接触で前記ノズルホルダから前記ノズル本体を突出させる、温水洗浄便座装置。
【請求項２】
前記第１の磁性体と前記第２の磁性体とのいずれか一方は磁石で、他方は金属部材である、請求項１に記載の温水便座装置。
【請求項３】
前記付勢部材は非磁性のコイルスプリングである、請求項１又は請求項２に記載の温水洗浄便座装置。
【発明の詳細な説明】
【技術分野】
【０００１】
本発明は、温水洗浄便座装置で、特に人体局部を洗浄するノズルの構造に関する。
【背景技術】
【０００２】
従来技術として、筒状のノズルホルダと、ノズルホルダの内側に形成され、水圧を受けてノズルホルダの先端から突出可能なノズル本体と、ノズル本体をノズル本体内に収納する方向に付勢する付勢部材と、を有する温水洗浄便座装置のノズルにおいて、ノズル本体の先端に磁石を設けたことで、ノズル本体を掃除する際に磁性物質からなる磁石と吸着する材質よりなる部材（例えば、鉄製のドライバ、ベンチ、金具等）といった道具をノズル本体の先端の磁石に接近させて、ノズル本体を磁力により吸着させて突出させるようにした温水洗浄便座装置が知られている（例えば、特許文献１参照）。
【先行技術文献】
【特許文献】
【０００３】
【特許文献１】特開平６−２６０８６号公報
【発明の概要】
【発明が解決しようとする課題】
【０００４】
しかしながら特許文献１の温水洗浄便座装置では、ノズル本体を掃除する際にノズル本体を突出させるのに、磁性物質からなる道具（金属部材）を磁石が設けられたノズル先端に当接させる必要がある。
【０００５】
本発明は上記問題点を鑑みて成されたものであり、ノズル洗浄用の道具を用いることなくノズル本体を突出させることができる温水洗浄便座装置を提供することを目的とする。
【課題を解決するための手段】
【０００６】
本発明の第１の課題解決手段は、洗浄水が供給され、便器内に突出して先端部から洗浄水を人体局部に向かって噴射する非磁性体からなるノズルと、前記ノズルと異なる方向を動く可動軸と、を備える温水洗浄便座装置であって、前記ノズルは、前記ノズルの外面を形成する筒状のノズルホルダと、前記ノズルホルダの内側に設けられ、洗浄水の水圧を受けて前記ノズルホルダから突出するノズル本体と、前記ノズル本体を前記ノズルホルダ内に収納する方向に付勢する付勢部材と、前記ノズル本体に設けられた第１の磁性体と、を有し、前記可動軸は、前記第１の磁性体に対向する第２の磁性体を有し、前記第１の磁性体及び前記第２の磁性体は、少なくともいずれか一方が磁石であり、前記ノズル本体に近づくことで磁力により、前記第１の磁性体と前記第２の磁性体とが非接触で前記ノズルホルダから前記ノズル本体を突出させることを特徴とする。
【０００７】
本発明の第２の課題解決手段は、前記第１の磁性体と前記第２の磁性体との何れか一方は磁石で、他方は金属部材であることを特徴とする。
【０００８】
本発明の第３の課題解決手段は、前記付勢部材は非磁性のコイルスプリングであることを特徴とする。
【発明の効果】
【０００９】
本発明の第１の課題解決手段では、第１の磁性体及び第２の磁性体の少なくともいずれか一方が磁石である場合は、ノズル本体を掃除する際に第１の磁性体と第２の磁性体とで磁力を働かせ、非接触でノズル本体を相対移動させることでノズル本体をノズルホルダから引き出すことができるため、ノズル本体と接触して引き出すための道具が不要となり、ノズル先端の汚れが道具に付着する問題がない。また、第１の磁性体及び第２の磁性体の両方が磁石の場合は、第１の磁性体と第２の磁性体との間で引き合う、もしくは反発し合う磁力が働く。第１の磁性体及び第２の磁性体が共に磁石であるため、より強力な磁力が得られることで、温水洗浄便座装置はノズル本体のノズルホルダからの引き出し動作を円滑にすることや、ストローク量を増やすことが可能となる。
【００１０】
また、本発明の第２の課題解決手段では、第１の磁性体と第２の磁性体との間には引き合う磁力が働くため、一方のみ磁石を用いてもノズル本体をノズルホルダから引き出す（突出させる）ことができるので、両方に磁石を用いるときよりもコストを抑制できる。
【００１１】
また、本発明の第３の課題解決手段で付勢部材は、非磁性のコイルスプリングを用いることで、磁力の影響を受けることがなく、ノズル本体のノズルホルダからの引き出し動作を円滑に行うことが可能となる。
【図面の簡単な説明】
【００１２】
【図１】本発明の第１実施形態に係るノズル本体格納時の温水洗浄便座装置の上面図である。
【図２】本発明の第１実施形態に係るノズル本体格納時の温水洗浄便座装置のＡ−Ａ断面図である。
【図３】本発明の第１実施形態に係るノズル本体突出時の温水洗浄便座装置の上面図である。
【図４】本発明の第１実施形態に係るノズル本体突出時の温水洗浄便座装置のＢ−Ｂ断面図である。
【図５】本発明の第２実施形態に係るノズル本体格納時の温水洗浄便座装置の上面図である。
【図６】本発明の第２実施形態に係るノズル本体格納時の温水洗浄便座装置のＣ−Ｃ断面図である。
【図７】本発明の第２実施形態に係るノズル本体突出時の温水洗浄便座装置の上面図である。
【図８】本発明の第２実施形態に係るノズル本体突出時の温水洗浄便座装置のＤ−Ｄ断面図である。
【発明を実施するための形態】
【００１３】
以下に本発明の実施の形態を図面に基づいて詳細に説明する。
【００１４】
（第１実施形態）
図１は、本発明の第１実施形態に係る温水洗浄便座装置１の上面図である。本発明の温水洗浄便座装置１は、図示しない便座及び／又は便蓋が回動可能に支持され、便器上に配設されたハウジング内に設けられ、樹脂製のビデ洗浄用ノズル２（以下ノズル２と称す）と、樹脂製のおしり洗浄用ノズル３と、ハウジングを構成するベースプレート４と、各ノズル２及び３の軸と立体交差し所謂ねじれの位置関係を構成するようベースプレート４上に設けられ、先端に永久磁石３１（第２の磁性体）を設けた可動軸３０と、を有する。なお、本実施形態では、上面から見て可動軸３０はノズル２と垂直に立体交差して、ノズル２と異なる方向へ動き、逆Ｓ字形状のクランク部を介してベースプレート４上を通ってハウジング外部まで延在し、ハウジング外部に設けられた操作部（図示しない）等から可動軸３０を操作することでスライド移動できる。温水洗浄便座装置１は、便器内に向けて各ノズル２及び３を動作させる。
【００１５】
図２は、本発明の第１実施形態に係るノズル本体２０格納時の温水洗浄便座装置１のＡ−Ａ断面図である。ノズル２は、ノズル２の外面を形成する筒状のノズルホルダ１０と、ノズルホルダ１０の内側に形成され水圧を受けてノズルホルダ１０から突出可能なノズル本体２０と、ノズル本体２０の可動軸３０に対向する面に設けられた金属部材２１（第１の磁性体）と、ノズル本体２０をノズルホルダ１０内に収納する方向に付勢する非磁性のリターンスプリング２２（付勢部材）と、から構成される。ノズルホルダ１０は、一端に洗浄水を供給する給水口１１と、他端にノズル本体２０を突出させるための開口１２と、ノズル本体２０を係止するノズル本体係止面１３と、を有する。ノズル本体２０は、筒状であり、一端にノズルホルダ１０と係止するための拡大部２３と、ノズル本体２０に洗浄水を供給する給水口２４と、この給水口２４に着座可能な弁２５と、が設けられる。また、ノズル本体２０は、内部でバルブスプリング２６の一端を弁２５に取り付けて弁２５を給水口２４に着座させ、バルブスプリング２６の他端を固定されたバルブスプリング取り付け部２７に取り付ける。なお、ノズル本体２０の先端の上面側に温水洗浄便座装置１を作動させる際に水を噴出させる噴出口２８が設けられる。また、リターンスプリング２２とバルブスプリング２６の付勢力は、洗浄水に起因して発生するノズル本体２０に加わる圧力により、リターンスプリング２２が圧縮されてから、バルブスプリング２６が圧縮されるように設定されている。また、樹脂製のおしり洗浄用ノズル３は、ノズル２と同様の構造である。また、可動軸３０の永久磁石３１は、ノズルホルダ１０及び金属部材２１と対向するノズル２側の面３２に設けられている。
【００１６】
図３は、本発明の第１実施形態に係るノズル本体２０突出時の温水洗浄便座装置１の上面図である。図３は、図１から永久磁石３１を有する可動軸３０が動いた後の温水洗浄便座装置１であり、可動軸３０がノズル２に近づくことで、ノズルホルダ１０からノズル本体２０を例えば１０ｍｍ〜１５ｍｍ突出させる。
【００１７】
図４は、本発明の第１実施形態に係るノズル本体２０突出時の温水洗浄便座装置１のＢ−Ｂ断面図である。図４は、図２から永久磁石３１を有する可動軸３０が動いた後の温水洗浄便座装置１であり、可動軸３０がノズル２に近づくことで、金属部材２１と、永久磁石３１と、が引き合い、リターンスプリング２２を圧縮し、ノズルホルダ１０からノズル本体２０を突出させる。なお、金属部材２１と永久磁石３１との距離は、リターンスプリング２２のバネ定数、永久磁石３１の磁力、との関係で適宜定まるものであり、金属部材２１と永久磁石３１との間で引き合う力はリターンスプリング２２の付勢力より強く、リターンスプリング２２を圧縮できるものとする。
【００１８】
第１実施形態の動作について説明する。洗浄水が給水口１１からノズルホルダ１０に給水されると、洗浄水の水圧は、ノズル本体２０の拡大部２３の後端面に作用し、リターンスプリング２２を圧縮しながら拡大部２３がノズル本体係止面１３で係止されるまでノズル本体２０を前進させる。そして、洗浄水の水圧は、バルブスプリング２６を圧縮しながら弁２５を押し下げて給水口２４を開放させて洗浄水がノズル本体２０内に流入し、噴出口２８から噴出する。
【００１９】
洗浄水の供給が停止すると、バルブスプリング２６の付勢力により弁２５が給水口２４を閉鎖し、またリターンスプリング２２の付勢力によりノズル本体２０をノズルホルダ１０内に収納するように後退する。
【００２０】
ノズル本体２０が後退した状態から、ノズルホルダ１０よりノズル本体２０を突出させてノズル本体２０を掃除する際には永久磁石５１を有する可動軸５０をノズル２に近づく方向に移動させる。可動軸３０がノズル２に接近すると、ノズル本体２０が有する金属部材２１と、永久磁石３１との間の磁力の働きによって、金属部材２１が永久磁石３１に引き寄せられることで、リターンスプリング２２を圧縮し、ノズル本体２０をノズルホルダ１０から引き出される。また、ノズル本体２０をノズルホルダ１０に戻すには、永久磁石３１を有する可動軸３０をノズル２から離れる方向に移動させる。可動軸３０がノズル２から離間すると、ノズル本体２０が有する金属部材２１と、永久磁石３１との間の磁力の働きが弱まり、金属部材２１が永久磁石３１に引き寄せられなくなることで、リターンスプリング２２の付勢力で、ノズル本体２０をノズルホルダ１０内に収納するように後退する。また、樹脂製のおしり洗浄用ノズル３の動作は、ノズル２と同様の動作である。
【００２１】
第１実施形態の効果について説明する。ノズル本体２０を掃除する際に金属部材２１と永久磁石３１とで磁力を働かせ、非接触でノズル本体２０を例えば１０ｍｍ〜１５ｍｍ突出させるため、ノズル本体２０と接触して引き出すための道具が不要となり、ノズル先端の汚れが道具に付着する問題がなく、ノズル本体２０を引き出して噴出口２８周囲を掃除できる。
【００２２】
また、第１の磁性体である永久磁石３１のみに永久磁石を用いてもノズル本体２０をノズルホルダ１０から引き出す（突出させる）ことができるので、第２の磁性体に永久磁石ではなく金属部材２１を用いることで、第２の磁性体に永久磁石を用いるよりもコストを抑制できる。
【００２３】
また、付勢部材は、非磁性のリターンスプリング２２を用いることで、磁力の影響を受けることがなく、ノズル本体２０のノズルホルダ１０からの引き出し動作を円滑に行うことが可能となる。
【００２４】
また、温水洗浄便座装置１は、可動軸３０をベースプレート４に対して平行にスライド移動が可能であるため、ノズル２とベースプレート４との間の限られた空間の中でも動作可能である。更に、温水洗浄便座装置１は、ノズル２のスライド移動方向に対して、可動軸３０がねじれ方向に移動する（本実施形態では、可動軸３０が立体交差するようにノズル２に対してスライド移動する）ことで、各ノズル２及び３の引き出し動作の不具合を抑制する。例えば、可動軸３０が各ノズル２及び３の突出方向の前方からスライド移動させる際は、ノズル本体２０及び可動軸３０に設けられた各磁性体２１、３１の位置関係により、ノズル本体２０が引き出されないおそれがある。
【００２５】
（第２実施形態）
図５は、本発明の第２実施形態に係る温水洗浄便座装置１の上面図である。第１実施形態では、金属部材２１と永久磁石３１との組み合わせであったのに対して、第２実施形態では、２つの永久磁石４１、５１を用いたことである。その他の構成は同様であり、第１実施形態と同一の部品、同一の構造については同一の符号を用いて説明する。本発明の温水洗浄便座装置１は、図示しない便座及び／又は便蓋が回動可能に支持され、便器上に配設されたハウジング内に設けられ、樹脂製のビデ洗浄用ノズル２と、樹脂製のおしり洗浄用ノズル３と、ハウジングを構成するベースプレート４と、各ノズル２及び３の軸と立体交差し所謂ねじれの位置関係を構成するようベースプレート４上に設けられ先端に永久磁石５１（第２の磁性体）を設けた可動軸５０と、を有する。なお、本実施形態では、上面から見て可動軸５０はノズル２と垂直に立体交差して、ノズル２と異なる方向へ動き、逆Ｓ字形状のクランク部を介してベースプレート４上を通って図示しないハウジング外部まで延在し、ハウジング外部に設けられた操作部（図示しない）等から可動軸５０を操作することでスライド移動できる。温水洗浄便座装置１は、便器内に向けて各ノズル２及び３を動作させる。
【００２６】
図６は、本発明の第２実施形態に係るノズル本体４０格納時の温水洗浄便座装置１のＣ−Ｃ断面図である。ノズル２は、ノズル２の外面を形成する筒状のノズルホルダ１０と、ノズルホルダ１０の内側に形成され水圧を受けてノズルホルダ１０から突出可能なノズル本体４０と、ノズル本体４０の可動軸５０に対向する面に設けられた永久磁石４１（第１の磁性体）と、ノズル本体４０をノズルホルダ１０内に収納する方向に付勢する非磁性のリターンスプリング４２（付勢部材）と、から構成される。ノズルホルダ１０は、一端に洗浄水を供給する給水口１１と、他端にノズル本体４０を突出させるための開口１２と、ノズル本体４０を係止するノズル本体係止面１３と、を有する。ノズル本体４０は、筒状であり、一端にノズルホルダ１０と係止するための拡大部４３と、ノズル本体４０に洗浄水を供給する給水口４４と、この給水口４４に着座可能な弁４５と、が設けられる。また、ノズル本体４０は、内部でバルブスプリング４６の一端を弁４５に取り付けて弁４５を給水口４４に着座させ、バルブスプリング４６の他端を固定されたバルブスプリング取り付け部４７に取り付ける。なお、ノズル本体４０の先端の上面側に温水洗浄便座装置１を作動させる際に水を噴出させる噴出口４８が設けられる。また、リターンスプリング４２とバルブスプリング４６の付勢力は、洗浄水に起因して発生するノズル本体４０に加わる圧力により、リターンスプリング４２が圧縮されてから、バルブスプリング４６が圧縮されるように設定される。また、永久磁石４１と永久磁石５１との向きは、可動軸５０をノズル２の下部に動かした際、同じ極が向き合い、磁場がぶつかりあって反発する向きで設けられるものとする。また、樹脂製のおしり洗浄用ノズル３は、ノズル２と同様の構造である。また、可動軸５０の永久磁石５１は、ノズルホルダ１０及び永久磁石４１と対向するノズル２側の面５２に設けられている。
【００２７】
図７は、本発明の第２実施形態に係るノズル本体４０突出時の温水洗浄便座装置１の上面図である。図７は、図５から永久磁石５１を有する可動軸５０が動いた後の温水洗浄便座装置１であり、可動軸５０がノズル２に近づくことで、ノズルホルダ１０からノズル本体４０を例えば１０ｍｍ〜１５ｍｍ突出させる。
【００２８】
図８は、本発明の第２実施形態に係るノズル本体４０突出時の温水洗浄便座装置１のＤ−Ｄ断面図である。図８は、図６からノズル本体４０側の面５２に永久磁石５１を有する可動軸５０が動いた後の温水洗浄便座装置１であり、可動軸５０がノズル２に近づくことで、永久磁石４１と、永久磁石５１と、が反発し合い、リターンスプリング４２を圧縮し、ノズルホルダ１０からノズル本体４０を突出させる。なお、永久磁石４１と永久磁石５１との距離は、リターンスプリング４２のバネ定数、永久磁石４１の磁力、永久磁石５１の磁力、との関係で適宜定まるものであり、永久磁石４１と永久磁石５１との間で反発し合う力はリターンスプリング４２の付勢力より強く、リターンスプリング４２を圧縮できるものとする。
【００２９】
第２実施形態の動作について説明する。洗浄水が給水口１１からノズルホルダ１０に給水されると、洗浄水の水圧は、ノズル本体４０の拡大部４３の後端面に作用し、リターンスプリング４２を圧縮しながら拡大部４３がノズル本体係止面１３で係止されるまでノズル本体４０を前進させる。そして、洗浄水の水圧は、バルブスプリング４６を圧縮しながら弁４５を押し下げて給水口４４を開放させて洗浄水がノズル本体４０内に流入し、噴出口４８から噴出する。
【００３０】
洗浄水の供給が停止されると、バルブスプリング４６の付勢力により弁４５が給水口４４を閉鎖し、またリターンスプリング４２の付勢力によりノズル本体４０をノズルホルダ１０内に収納するように後退する。
【００３１】
ノズル本体４０が後退した状態から、ノズルホルダ１０よりノズル本体４０を突出させてノズル本体４０を掃除する際には永久磁石５１を有する可動軸５０をノズル２に近づく方向に移動させる。可動軸５０がノズル２に接近すると、ノズル本体４０が有する永久磁石４１と、永久磁石５１と、で磁力が働き、反発し合うことで、リターンスプリング４２を圧縮し、ノズル本体４０をノズルホルダ１０から引き出される。また、ノズル本体４０をノズルホルダ１０に戻すには、永久磁石５１を有する可動軸５０をノズル２から離れる方向に移動させる。可動軸５０がノズル２から離間すると、ノズル本体４０が有する永久磁石４１と、永久磁石５１と、で磁力が弱まり、反発し合わなくなることで、リターンスプリング４２の付勢力で、ノズル本体４０をノズルホルダ１０内に収納するように後退する。また、樹脂製のおしり洗浄用ノズル３の動作は、ノズル２と同様の構造である。
【００３２】
第２実施形態の効果について説明する。ノズル本体４０を掃除する際に永久磁石４１と永久磁石５１とで磁力を働かせ、非接触でノズル本体４０を例えば１０ｍｍ〜１５ｍｍ突出させるため、ノズル本体４０と接触して引き出すための道具が不要となり、ノズル先端の汚れが道具に付着する問題がなく、ノズル本体４０を引き出して噴出口４８周囲を掃除できる。
【００３３】
また、永久磁石４１及び永久磁石５１は、共に磁石であるため、より強力な磁力を得られることで、温水洗浄便座装置１はノズル本体４０のノズルホルダ１０からの引き出し動作を円滑にすることやストローク量を増やすことが可能となる。
【００３４】
また、付勢部材は、非磁性のリターンスプリング４２を用いることで、ノズル本体４０のノズルホルダ１０からの引き出し動作を円滑に行うことが可能となる。
【００３５】
また、温水洗浄便座装置１は、可動軸５０をベースプレート４に対して平行にスライド移動が可能であるため、ノズル２とベースプレート４との間の限られた空間の中でも動作可能である。更に、温水洗浄便座装置１は、ノズル２のスライド移動方向に対して、可動軸５０がねじれ方向に移動する（本実施形態では、可動軸５０が立体交差するようにノズル２に対してスライド移動する）することで、各ノズル２及び３の引き出し動作の不具合を抑制する。例えば、可動軸５０が各ノズル２及び３の突出方向の前方からスライド移動させる際は、ノズル本体４０及び可動軸５０に設けられた各磁性体４１、５１の位置関係により、ノズル本体４０が引き出されないおそれがある。
【００３６】
なお、本発明は上記実施形態に限定されるものではなく、以下に示す態様に変更しても良い。
【００３７】
・実施形態１では、金属部材２１と、永久磁石３１と、で磁力が働くが、金属部材２１の代わりに永久磁石を用いても、より強力に吸着させても良い。
【００３８】
・実施形態１、２では、ノズル本体２０、４０がノズルホルダ１０から引き出されるストローク量は１０ｍｍ〜１５ｍｍで、ノズル本体２０、４０の先端を保持して引き出すことができるストローク量となっているが、磁力の強い磁石を用いることで噴出口２８、４８を外部に露出させられるストローク量でも良い。
【００３９】
・実施形態１、２では、永久磁石にフェライト磁石、ネオジム磁石等を用いる。
【００４０】
・実施形態１、２では、永久磁石３１、第１の永久磁石４１、第２の永久磁石５１の代わりに電磁石を用いても良い。
【００４１】
・実施形態１、２では、可動軸３０、可動軸５０は、手動で動かしてスライド移動させるが、モーター等の駆動源を用いて動かしても良い。
【００４２】
・実施形態１、２では、ノズル２、３と可動軸３０、５０とが直線的な軸上を動くようにねじれの位置関係にあるが、可動軸３０、５０が回動するような軌跡上を動くようにしてノズル２、３とねじれの位置関係となっていても良い。
【符号の説明】
【００４３】
１  温水洗浄便座装置
２、３  ノズル
１０  ノズルホルダ
２０  ノズル本体
２１  金属部材（第１の磁性体）
２２  リターンスプリング（付勢部材）
３０  可動軸
３１  永久磁石（第２の磁性体）
４０  ノズル本体
４１  永久磁石（第１の磁性体）
４２  リターンスプリング（付勢部材）
５０  可動軸
５１  永久磁石（第２の磁性体）
【図１】
0005655622.tif 000002
【図２】
0005655622.tif 000003
【図３】
0005655622.tif 000004
【図４】
0005655622.tif 000005
【図５】
0005655622.tif 000006
【図６】
0005655622.tif 000007
【図７】
0005655622.tif 000008
【図８】
0005655622.tif 000009